(57)【特許請求の範囲】
【請求項１】
複数のトイレットペーパー片を収容するためのボックス本体の対向する２つの面の上部にトイレットペーパーホルダーで支持するための２つの開口を有し、前記ボックス本体の正面下部に前記トイレットペーパー片の取出口を有し、
前記トイレットペーパーホルダーは、前記トイレットペーパーホルダーに取り付けられる中空の芯を帯状のトイレットペーパーで巻いて成るロール状トイレットペーパーを上方から覆うカバーを有し、前記ボックス本体は上部に前記カバーの先端と係合する突出部を有することを、特徴とするトイレットペーパーボックス。
【請求項２】
所定の幅、奥行および高さを有し、正面下部に幅方向に伸びる取出口を有し、両側面の対向する位置にトイレットペーパーホルダーで支持するための２つの開口を有するボックス本体と、前記ボックス本体の内部にその高さ方向に積み重ねて収容され、前記取出口の幅以下の幅で所定の長さのトイレットペーパーを前記ボックス本体の奥行以下の折り返し長さに折り畳んで成る複数のトイレットペーパー片とを有し、
前記トイレットペーパーホルダーは、前記トイレットペーパーホルダーに取り付けられる中空の芯を帯状のトイレットペーパーで巻いて成るロール状トイレットペーパーを上方から覆うカバーを有し、前記ボックス本体は上部に前記カバーの先端と係合する突出部を有することを、特徴とするトイレットペーパーボックス。
【発明の詳細な説明】
【技術分野】
【０００１】
本発明は、トイレットペーパーボックスに関する。
【背景技術】
【０００２】
一般的なトイレでは、ロール状のトイレットペーパーをトイレットペーパーホルダーに取り付けて使用している。ロール状のトイレットペーパーは、１回分をトイレットペーパーホルダーのカバーで切り取って使用される。しかし、１回ごとにトイレットペーパーを切り取るのは手間がかかるうえ、片手だけで切り取ろうとすると、切り取りにくいという問題があった。この問題を解決するため、折り畳んだトイレットペーパー片を複数枚積み重ねたものが提案されている（例えば、特許文献１、２参照）。
【０００３】
【特許文献１】特開２００２−２２３９８４号公報
【特許文献２】特開平９−１５４７６５号公報
【発明の開示】
【発明が解決しようとする課題】
【０００４】
しかしながら、特許文献１および２記載のものは、そのケースを既存のトイレットペーパーホルダーとは別個に壁に取り付ける必要があるため、新たな設置スペースが必要となり、設置に手間がかかるという課題があった。
【０００５】
本発明は、このような従来の課題に着目してなされたもので、新たな設置スペースが不要で、設置が容易なトイレットペーパーボックスを提供することを目的としている。
【課題を解決するための手段】
【０００６】
上記目的を達成するために、第１の本発明に係るトイレットペーパーボックスは、複数のトイレットペーパー片を収容するためのボックス本体の対向する２つの面の上部にトイレットペーパーホルダーで支持するための２つの開口を有し、前記ボックス本体の正面下部に前記トイレットペーパー片の取出口を有し、
前記トイレットペーパーホルダーは、前記トイレットペーパーホルダーに取り付けられる中空の芯を帯状のトイレットペーパーで巻いて成るロール状トイレットペーパーを上方から覆うカバーを有し、前記ボックス本体は上部に前記カバーの先端と係合する突出部を有することを、特徴とする。
【０００７】
第１の本発明に係るトイレットペーパーボックスは、ボックス本体の対向する２つの面の上部に設けられた２つの開口により、トイレットペーパーホルダーに取り付けて使用される。この取り付けた状態で、ボックス本体に収容されたトイレットペーパー片を、ボックス本体の下部に設けられた取出口から取り出して、使用することができる。トイレットペーパーホルダーに取り付けて使用するため、新たな設置スペースが不要で、設置が容易である。なお、本発明に係るトイレットペーパーボックスは、ティッシュペーパーボックスとして用いられてもよい。
【０００８】
第２の本発明に係るトイレットペーパーボックスは、所定の幅、奥行および高さを有し、正面下部に幅方向に伸びる取出口を有し、両側面の対向する位置にトイレットペーパーホルダーで支持するための２つの開口を有するボックス本体と、前記ボックス本体の内部にその高さ方向に積み重ねて収容され、前記取出口の幅以下の幅で所定の長さのトイレットペーパーを前記ボックス本体の奥行以下の折り返し長さに折り畳んで成る複数のトイレットペーパー片とを有し、
前記トイレットペーパーホルダーは、前記トイレットペーパーホルダーに取り付けられる中空の芯を帯状のトイレットペーパーで巻いて成るロール状トイレットペーパーを上方から覆うカバーを有し、前記ボックス本体は上部に前記カバーの先端と係合する突出部を有することを、特徴とする。
【０００９】
第２の本発明に係るトイレットペーパーボックスは、ボックス本体の両側面の対向する位置に設けられた２つの開口により、トイレットペーパーホルダーに取り付けて使用される。この取り付けた状態で、ボックス本体に収容されたトイレットペーパー片を、ボックス本体の正面下部に幅方向に伸びて設けられた取出口から取り出して、使用することができる。トイレットペーパーホルダーに取り付けて使用するため、新たな設置スペースが不要で、設置が容易である。
【００１０】
第２の本発明に係るトイレットペーパーボックスは、取出口がボックス本体の正面下部に設けられているため、トイレットペーパーホルダーの正面側からトイレットペーパー片を取り出しやすい。また、ボックス本体の高さ方向に積み重ねて収容されたトイレットペーパー片を、下から順に取り出すことができるため、最後の一枚まで容易に取り出すことができる。トイレットペーパー片が取出口の幅以下の幅で所定の長さのトイレットペーパーをボックス本体の奥行以下の折り返し長さに折り畳んで成るため、取出口から容易に取り出すことができる。また、トイレットペーパー片を１回の使用量に適した長さにして、使いやすくすることができ、片手でも使用可能となる。トイレットペーパー片は、帯状のトイレットペーパーを折り畳んで成っていても、シート状のトイレットペーパーを折り畳んで成っていてもよい。なお、第２の本発明に係るトイレットペーパーボックスは、ティッシュペーパーボックスとして用いられてもよい。
【００１１】
第１および第２の本発明に係るトイレットペーパーボックスで、前記ボックス本体は底部で前記トイレットペーパー片を支持し、前記取出口は前記ボックス本体の正面下部から底面下部にかけて最下部のトイレットペーパー片の端部が自重で外に垂れ下がるよう形成されていることが好ましい。この構成では、自重で外に垂れ下がったトイレットペーパー片の端部を引っ張ることにより、最下部から順にトイレットペーパー片を容易に取り出すことができる。
【００１２】
第１および第２の本発明に係るトイレットペーパーボックスで、前記トイレットペーパーホルダーは、中空の芯を帯状のトイレットペーパーで巻いて成るロール状トイレットペーパーを前記芯の両端に挿脱可能に挿入されて支持する１対のフックを備えており、前記ボックス本体の各開口は各フックを挿入されて前記ボックス本体を支持可能であることが好ましい。この構成では、ロール状トイレットペーパーの芯の両端に挿脱可能に挿入されてロール状トイレットペーパーを支持する１対のフックを備えたトイレットペーパーホルダーに、トイレットペーパーボックスを取り付けることができる。
【００１３】
第１および第２の本発明に係るトイレットペーパーボックスでは、トイレットペーパーボックスをトイレットペーパーホルダーに取り付けたとき、突出部をカバーの先端と係合させる。これにより、トイレットペーパーをボックス本体から引き出すとき、ボックス本体がトイレットペーパーとともに引っ張られて各開口の支持位置を軸として、トイレットペーパーボックスが揺れ動くのを防ぐことができる。このため、トイレットペーパーの取出しが容易で、片手でも使用可能となる。なお、この場合、トイレットペーパーホルダーは壁面に取り付けられ、カバーはその壁面に対し上下方向に回転可能に設けられていることが好ましい。
【発明の効果】
【００１４】
本発明によれば、新たな設置スペースが不要で、設置が容易なトイレットペーパーボックスを提供することができる。
【発明を実施するための最良の形態】
【００１５】
以下、図面に基づき本発明の実施の形態について説明する。
図１は、本発明の概念を示すトイレットペーパーボックスを示している。
図１に示すように、トイレットペーパーボックス１０は、直方体状のボックス本体１１とトイレットペーパー１２とを有している。
【００１６】
図１に示すように、ボックス本体１１は、対向する３対の面１１ａ，１１ｂ，１１ｃのうち、最も大きな面１１ａの一方に、トイレットペーパー１２の取出口１３を有している。取出口１３は、ボックス本体１１の長さ方向に沿って細長く、その面１１ａの中央に形成されている。取出口１３は、使用の際に、最も大きな面１１ａに形成されたミシン目に沿って切り抜いて形成される。ボックス本体１１は、最も大きな面１１ａの長さ方向に沿った側辺と接した対向する２つの面１１ｂに、トイレットペーパーホルダー１で支持するための２つの開口１４を有している。各開口１４は、それぞれの面１１ｂの同じ側の端部に形成されている。各開口１４は、使用の際に、２つの面１１ｂに形成されたミシン目に沿って切り抜いて形成される。
【００１７】
トイレットペーパー１２は、水溶性で、ボックス本体１１の内部に収容されている。トイレットペーパー１２は、取出口１３から連続して取り出すことができるよう、それぞれ矩形状で半分に折り畳まれ、その間に他のトイレットペーパー１２の一端が挟まれて、複数が連続して折り畳まれている。
【００１８】
なお、図１に示すように、トイレットペーパーホルダー１は、中空の芯を帯状のトイレットペーパーで巻いて成るロール状トイレットペーパーを、芯の両端に挿脱可能に挿入されて支持する１対のフック２を備えている。各フック２は、常態で水平方向に突出しており、取付部を軸として上側に回転可能となっている。
【００１９】
次に、作用について説明する。
トイレットペーパーボックス１０は、ボックス本体１１の対向する２つの面１１ｂに設けられた２つの開口１４に、各フック２を挿入して、トイレットペーパーホルダー１に取り付けて使用される。この取り付けた状態で、ボックス本体１１に収容されたトイレットペーパー１２を使用することができる。トイレットペーパーホルダー１に取り付けて使用するため、新たな設置スペースが不要で、設置が容易である。
【００２０】
図２は、本発明の他の概念を示すトイレットペーパーボックスおよびトイレットペーパーを示している。
図２に示すように、トイレットペーパーボックス２０は、所定の幅、奥行および高さを有する直方体状のボックス本体２１とトイレットペーパー２２とを有している。
【００２１】
ボックス本体２１は、高さ、幅、奥行の順に長く形成され、最も大きな面の一方を正面２１ａとして、縦長に形成されている。ボックス本体２１は、正面２１ａの下部に幅方向いっぱいに伸びる取出口２３を有している。取出口２３は、使用の際に、正面２１ａに形成されたミシン目に沿って切り抜いて形成される。ボックス本体２１は、底部２１ｃに取出口２３と連続した半円状の切込部２３ａを有している。ボックス本体２１は、上部２１ｄが開閉可能になっている。
【００２２】
ボックス本体２１は、両側面２１ｂの上部の対向する位置に、トイレットペーパーホルダー１で支持するための２つの開口２４を有している。各開口２４は、使用の際に、両側面２１ｂに形成されたミシン目に沿って切り抜いて形成される。なお、ボックス本体２１は、１枚の紙を折り曲げ、のりしろで貼り付けて構成されている。
【００２３】
トイレットペーパー２２は、トイレットペーパー片２２ａを複数積み重ね、取出口２３から引っ張って取外し可能なテープ（図示せず）で巻いて束にして成っている。トイレットペーパー片２２ａは、水溶性で、取出口２３の幅以下の幅で所定の長さの帯状のトイレットペーパーを、ボックス本体２１の奥行以下の折り返し長さに折り畳んで成っている。トイレットペーパー２２は、トイレットペーパー片２２ａが高さ方向に積み重ねられた状態で、束ごとボックス本体２１の内部に収容されている。
【００２４】
次に、作用について説明する。
トイレットペーパーボックス２０は、ボックス本体２１の両側面２１ｂの対向する位置に設けられた２つの開口２４にトイレットペーパーホルダー１の軸芯３を通して、トイレットペーパーホルダー１に取り付けて使用される。この取り付けた状態で、ボックス本体２１に収容されたトイレットペーパー２２のテープを取出口２３から引っ張って取り外し、取出口２３からトイレットペーパー片２２ａを取り出して、使用することができる。トイレットペーパーホルダー１に取り付けて使用するため、新たな設置スペースが不要で、設置が容易である。
【００２５】
トイレットペーパーボックス２０は、取出口２３がボックス本体２１の正面２１ａの下部に設けられているため、トイレットペーパーホルダー１の正面側からトイレットペーパー片２２ａを取り出しやすい。また、ボックス本体２１の高さ方向に積み重ねて収容されたトイレットペーパー片２２ａを、下から順に取り出すことができるため、最後の一枚まで容易に取り出すことができる。トイレットペーパー片２２ａが取出口２３の幅以下の幅で所定の長さの帯状のトイレットペーパーをボックス本体２１の奥行以下の折り返し長さに折り畳んで成るため、取出口２３から容易に取り出すことができる。また、トイレットペーパー片２２ａを１回の使用量に適した長さにして、使いやすくすることができ、片手でも使用可能となる。
【００２６】
トイレットペーパー２２が、複数積み重ねたトイレットペーパー片２２ａを、取出口２３から引っ張って取外し可能なテープで巻いて束にして成るため、束ごとトイレットペーパーボックス２０に収納し、テープを取出口２３から引っ張って取り外すことにより、容易に使用可能な状態にセットすることができる。このため、トイレットペーパー２２がなくなったとき、ボックス本体２１をトイレットペーパーホルダー１から外し、ボックス本体２１の上部２１ｄを開けて、新しいトイレットペーパー２２をセットすることにより、再び容易に使用することができる。このように、トイレットペーパーボックス２０では、トイレットペーパー２２を、詰替用のトイレットペーパー２２として便利に使用できる。
【００２７】
本発明の実施の形態のトイレットペーパーボックスおよびトイレットペーパーを示している。
図３に示すように、トイレットペーパーボックス３０は、所定の幅、奥行および高さを有する直方体状のボックス本体３１とトイレットペーパー２２とを有している。なお、トイレットペーパー２２の構成は、本発明の他の概念を示す構成と同様であり、同一の部材には同一の符号を付して重複する説明を省略する。
【００２８】
トイレットペーパーホルダー１は、中空の芯を帯状のトイレットペーパーで巻いて成るロール状トイレットペーパーを取り付けたとき、そのロール状トイレットペーパーを上方から覆うカバー４を有している。トイレットペーパーホルダー１はトイレの壁面に取り付けられ、カバー４はその壁面に対し上下方向に回転可能に設けられている。
【００２９】
ボックス本体３１は、高さ、幅、奥行の順に長く形成され、最も大きな面の一方を正面３１ａとして、縦長に形成されている。ボックス本体３１は、底部３１ｂでトイレットペーパー片２２ａを支持し、正面３１ａの下部から底面下部にかけて、幅方向いっぱいに伸びる取出口３３を有している。取出口３３は、最下部のトイレットペーパー片２２ａの端部が自重で外に垂れ下がるよう形成されている。取出口３３は、使用の際に、正面３１ａに形成されたミシン目に沿って切り抜いて形成される。ボックス本体３１は、上部３１ｃが開閉可能になっている。
【００３０】
ボックス本体３１は、両側面３１ｄの上部の対向する位置に、トイレットペーパーホルダー１で支持するための２つの開口３４を有している。各開口３４は、使用の際に、両側面３１ｄに形成されたミシン目に沿って切り抜いて形成される。ボックス本体３１は、上部３１ｃの正面側側部の中央に、カバー４の先端と係合する突出部３５を有している。突出部３５は、使用の際に、上部３１ｃに形成されたミシン目に沿って切り、上側に起こして形成される。また、ボックス本体３１は、正面３１ａの下部に内部に収容されたトイレットペーパー片２２ａの残量を確認するための小窓３６を有している。なお、ボックス本体３１は、１枚の紙を折り曲げ、のりしろで貼り付けて構成されている。
【００３１】
次に、作用について説明する。
本発明の実施の形態のトイレットペーパーボックス３０は、トイレットペーパーボックス３０をトイレットペーパーホルダー１に取り付けたとき、突出部３５をカバー４の先端と係合させる。これにより、トイレットペーパー片２２ａをボックス本体３１から引き出すとき、ボックス本体３１がトイレットペーパー片２２ａとともに引っ張られて各開口３４の支持位置を軸として、トイレットペーパーボックス３０が揺れ動くのを防ぐことができる。このため、トイレットペーパー２２の取出しが容易で、片手でも使用可能となる。また、自重で外に垂れ下がったトイレットペーパー片２２ａの端部を引っ張ることにより、最下部から順にトイレットペーパー片２２ａを容易に取り出すことができる。
【図面の簡単な説明】
【００３２】
【図１】本発明の概念を示すトイレットペーパーボックスの使用状態を示す斜視図である。
【図２】本発明の概念を示すトイレットペーパーボックスおよびトイレットペーパーの使用状態を示す斜視図である。
【図３】本発明の実施の形態のトイレットペーパーボックスおよびトイレットペーパーの使用状態を示す斜視図である。
【符号の説明】
【００３３】
１    トイレットペーパーホルダー
１０  トイレットペーパーボックス
１１  ボックス本体
１２  トイレットペーパー
１３  取出口
１４  開口
【図１】
0003922590.tif 000002
【図２】
0003922590.tif 000003
【図３】
0003922590.tif 000004